(57)【特許請求の範囲】
【請求項１】
互いに直列に接続された直流終端抵抗と切替スイッチとからなる切替手段と、加入者線への給電極性が反転極性であるとき前記切替手段を介して加入者線に直流電流を流す反転極性検出手段と、前記切替手段の切替スイッチのオン／オフを制御する極性変動判定手段とを含み、該極性変動判定手段は発信起動により通信状態になるときのみ前記切替スイッチをオンにする網終端装置において、該装置は、
加入者線から伝送フレームを取り込んで試験指令を検出する交流信号入出力手段を含み、
前記極性変動判定手段は、前記交流信号入出力手段が試験指令を検出したとき前記切替手段の切替スイッチをオンにすることを特徴とする網終端装置。
【請求項２】
請求項１に記載の網終端装置において、前記交流信号入出力手段は、さらに試験終了通知を検出し、前記極性変動判定手段は、前記交流信号入出力手段が試験終了通知を検出したとき前記切替手段の切替スイッチをオフにすることを特徴とする網終端装置。
【請求項３】
請求項１に記載の網終端装置において、前記交流信号入出力手段により検出される試験指令は、データ折り返しの正常性の試験を指示するループバック２試験指令であることを特徴とする網終端装置。
【発明の詳細な説明】
【０００１】
【発明の属する技術分野】
本発明は、ISDN（Integrated Services Digital Network ）ディジタル通信における加入者線路信号方式を用いた網終端装置に関するものである。
【０００２】
【従来の技術】
ISDNディジタル通信における加入者線路信号方式（TTC JT-G961 「Digital Transmission System on Metallic Local Lines for ISDN Basic Route Access 」）では、加入者線に流れる直流電流の有無とその極性とに基づいて発信要求および切断要求を行っている。しかし、この方式では、加入者線の直流電流が網終端装置を動作させるための電力として使用されていない場合でも、その直流電流を加入者線に流し続ける必要があるため、網終端装置における消費電力が大きくなるという問題があった。
【０００３】
本願の出願人は、この問題を解決する「網終端装置」（特願平11-107120 号）を先に提案した。この網終端装置は、直流終端抵抗と発信スイッチからなる発信回路と、発信回路の発信スイッチがONでかつ加入者線への給電極性が正極性のとき、発信回路の直流終端抵抗を介して加入者線に直流電流を流し、正極性電流検出信号を出力する正極性電流検出回路と、直流終端抵抗と切替スイッチからなる切替部と、切替部の切替スイッチがONでかつ加入者線への給電極性が反転極性のとき、切替部の直流終端抵抗を介して加入者線に直流電流を流し、反転極性電流検出信号を出力する反転極性電流検出回路と、加入者線の反転極性を検出する反転極性検出回路と、正極性電流検出回路および反転極性電流検出回路で生成された検出信号を入力し、所定の信号を出力する極性変動判定部と、極性変動判定部および反転極性検出回路から出力される信号に基づいて所定の処理を実行するレイヤ１制御部およびレイヤ２制御部とを備えている。
【０００４】
この網終端装置の動作を簡単に説明すると、着信起動時には、加入者線に接続される回線終端装置では、加入者線への給電極性を反転極性に設定する。網終端装置の反転極性検出回路では、加入者線が反転極性になったことを検出し、これをレイヤ１制御部に通知する。このとき、正極性電流検出回路は直流電流を流さず、正極性電流検出信号を出力しないので、極性変動判定部では、発信起動ではないと判断し、切替部に対して切替SW制御信号を出力しない。したがって、切替部の切替スイッチはOFF のままであるので、加入者線に直流電流は流れない。
【０００５】
また、発信起動時には、網終端装置では、レイヤ１制御部が発信回路に発信信号を出力し、発信回路では、発信信号に従って発信スイッチをONにする。これにより、正極性電流検出回路では、発信回路を介して加入者線に直流電流を流し、正極性電流検出信号を出力する。回線終端装置では、加入者線に流れる直流電流を一定時間検出すると、加入者線への給電極性を正極性から反転極性に切り替える。網終端装置の正極性電流検出回路では、加入者線に直流電流を流さなくなり、正極性電流検出信号の出力を停止する。このとき、切替部の切替スイッチはOFF のままである。したがって、加入者線に直流電流は流れない。
【０００６】
回線終端装置では、加入者線に直流電流が流れなくなると、加入者線への給電極性を反転極性から正極性に切り替える。網終端装置の正極性電流検出回路では、発信回路の発信スイッチがONであるので加入者線に直流電流を流し、正極性電流検出信号を出力する。極性変動判定部では、一定時間内に正極性電流検出信号がOFF からONになったとき、切替部に切替SW制御信号を出力する。切替部では、切替SW制御信号に従って切替スイッチをONにする。回線終端装置では、加入者線に流れる直流電流を一定時間検出すると、再び、加入者線への給電極性を正極性から反転極性に切り替える。網終端装置では、切替部の切替スイッチがONに設定されているので、反転極性電流検出回路は、切替部の直流終端抵抗を介して加入者線に直流電流を流し、網終端装置は通信状態に入る。
【０００７】
このように、上述の網終端装置では、発信起動により通信状態となるとき、切替部の直流終端抵抗を通して加入者線に直流電流を流すが、着信起動時には、切替部の直流終端抵抗を切り離し、加入者線に直流電流が流れないようにしているので、網終端装置における消費電力の削減を図ることができる。
【０００８】
【発明が解決しようとする課題】
回線終端装置側では、回線故障が発生した時などにループバック２試験を実施する。回線終端装置では、この試験を実施する時、加入者線への給電極性を正極性から反転極性に設定すると共に、ビットh1、h2、h3をすべて“１”に設定したループバック２試験指令を伝送フレームにより加入者線に送出する。しかし、従来の網終端装置では、加入者線への給電極性が正極性から反転極性になると、着信起動時の場合と同様に、切替部の切替スイッチをOFF の状態に維持するので、加入者線に直流電流は流れない。このため、回線終端装置が接続される上位装置からループバック２試験を行う場合、データ折り返しが正常に行われた場合でも、加入者線に直流電流が流れていないがためにループバック２試験の結果がNGになるという問題があった。
【０００９】
本発明はこのような従来技術の欠点を解消し、加入者線の給電極性を正極性から反転極性に設定されるループバック２試験時に、データ折り返しの正常性と直流電流の有無を正確に試験できる網終端装置を提供することを目的とする。
【００１０】
【課題を解決するための手段】
本発明は上述の課題を解決するために、互いに直列に接続された直流終端抵抗と切替スイッチとからなる切替手段と、加入者線への給電極性が反転極性であるとき切替手段を介して加入者線に直流電流を流す反転極性検出手段と、切替手段の切替スイッチのオン／オフを制御する極性変動判定手段とを含み、極性変動判定手段は発信起動により通信状態になるときのみ切替スイッチをオンにする網終端装置において、加入者線から伝送フレームを取り込んで試験指令を検出する交流信号入出力手段を含み、極性変動判定手段は、交流信号入出力手段が試験指令を検出したとき切替部の切替スイッチをオンにすることを特徴とする。
【００１１】
この場合、交流信号入出力手段は、さらに試験終了通知を検出し、極性変動判定手段は、交流信号入出力手段が試験終了通知を検出したとき切替部の切替スイッチをオフにするように構成するのがよい。
【００１２】
【発明の実施の形態】
次に添付図面を参照して本発明による網終端装置の実施例を詳細に説明する。本実施例の網終端装置は、図１に示すように、加入者線L1-L2 に接続される直流終端回路10、反転極性検出部20および電力分離フィルタ60と、直流終端回路10に接続される極性変動判定部30と、反転極性検出部20および極性変動判定部30に接続されるレイヤ１制御部40と、レイヤ１制御部40に接続されるレイヤ２制御部50と、電力分離フィルタ60に接続される交流信号入出力回路70とから構成される。
【００１３】
直流終端回路10は、加入者線L1-L2 への給電極性を検出し、加入者線L1-L2 を直流終端抵抗で終端する回路であり、発信回路100 、正極性検出回路102 、切替部104 および反転極性検出回路106 から構成される。発信回路100 と正極性検出回路102 は直列に接続されて加入者線L1とL2の間に挿入され、切替部104 と反転極性検出回路106 は直列に接続されて加入者線L1とL2の間に挿入される。
【００１４】
発信回路100 は、互いに直列に接続された直流終端抵抗R1と発信スイッチSW1 とからなり、レイヤ１制御部40から発信信号が与えられたとき発信スイッチSW1 をONにする。正極性検出回路102 は、互いに直列に接続されたフォトカプラPC1 とダイオードD1とからなり、発信スイッチSW1 がONでかつ加入者線L1-L2 への給電極性が正極性（L1>L2 ）のとき直流電流を流し、正極性検出信号を極性変動判定部30に出力する。このとき、加入者線L1-L2 は発信回路100 の直流終端抵抗R1で終端され、この直流終端抵抗R1を通して加入者線L1-L2 に直流電流が流れる。
【００１５】
切替部104 は、互いに直列に接続された直流終端抵抗RD1 と切替スイッチSW2 とからなり、極性変動判定部30から切替SW制御信号が与えられたとき切替スイッチSW2 をONにする。反転極性検出回路106 は、互いに直列に接続されたフォトカプラPC2 とダイオードD2とからなり、切替スイッチSW2 がONでかつ加入者線L1-L2 への給電極性が反転極性（L1<L2 ）のとき直流電流を流し、反転極性検出信号を極性変動判定部30に出力する。このとき、加入者線L1-L2 は切替部104 の直流終端抵抗RD1 で終端され、この直流終端抵抗R1を通して加入者線L1-L2 に直流電流が流れる。
【００１６】
反転極性検出部20は、加入者線L1-L2 への給電極性が正極性から反転極性に切り替えられたとき、着信信号をレイヤ１制御部40に出力する回路であり、直流入力抵抗値は大きな値に設定されている。極性変動判定部30は、正極性検出回路102 から出力される正極性検出信号や交流信号入出力回路70から出力されるLP2A検出信号に基づいて切替部104 に出力する切替SW制御信号をON/OFFすると共に発信受付信号をレイヤ１制御部40に出力し、また、反転極性検出回路106 から出力される反転極性検出信号に基づいて切断信号をレイヤ１制御部40に出力する。
【００１７】
レイヤ１制御部40およびレイヤ２制御部50は、反転極性検出部20からの着信信号、極性変動判定部30からの発信受付信号および切断信号等に基づいて所定の処理を実行し、発信起動時には、発信信号を発信回路100 に出力する。電力分離フィルタ60は、コンデンサC1、コイルl1、l2からなるフィルタであり、加入者線L1-L2 上の伝送フレームを取り込んで交流信号入出力回路70に出力し、また直流給電電流を直流終端回路10に出力する。交流信号入出力回路70は、電力分離フィルタ60から出力される伝送フレームからループバック２試験指令および試験終了通知を検出し、極性変動判定部30に出力するLP2A検出信号を、試験指令を検出したときONに、終了通知を検出したときOFF にする。
【００１８】
このように構成された網終端装置の動作を説明すると、着信起動時には、加入者線L1-L2 に接続される回線終端装置（図示せず）では、加入者線L1-L2 の給電極性を正極性（L1>l2 ）から反転極性（L1<l2 ）に設定する。網終端装置では、反転極性検出部20が加入者線L1-L2 の反転極性を検出し、着信信号をレイヤ１制御部40に出力する。レイヤ１制御部40では、この着信信号が与えられると、レイヤ２制御部50と共に所定の着信処理を実行する。
【００１９】
このとき、発信回路100 の発信スイッチSW1 はOFF であるので、正極性検出回路200 に直流電流は流れず、正極性検出回路200 は極性変動判定部30に正極性検出信号を出力しない。このため、極性変動判定部30では、発信起動ではいと判断し、切替部104 に出力する切替SW制御信号をOFF のままとする。このように、着信起動時には、加入者線L1-L2 に直流電流は流れない。
【００２０】
次に、発信起動時には、網終端装置では、レイヤ２制御部50が発信要求信号をレイヤ１制御部40に出力し、レイヤ１制御部40ではこの発信要求信号に基づいて発信信号を発信回路100 に出力する。発信回路100 では、この発信信号に従って発信スイッチSW1 をONにする。これにより、正極性検出回路102 に直流電流が流れ、正極性検出回路102 では、フォトカプラPC1 によりその直流電流を検出して極性変動判定部30に正極性検出信号を出力する。回線終端装置では、加入者線L1-L2 に直流電流が流れるのを検出し、直流電流を所定の時間検出すると、加入者線L1-L2 への給電極性を正極性から反転極性に切り替える。
【００２１】
網終端装置では、加入者線L1-L2 への給電極性が正極性から反転極性になると、正極性検出回路102 に直流電流が流れなくなり、正極性検出回路102 では正極性検出信号の出力を停止する。また、加入者線L1-L2 への給電極性は反転極性であるが、切替部104 の切替スイッチSW2 はOFF のままであるので、切替部104 に直流電流は流れない。したがって、加入者線L1-L2 に直流電流が流れなくなる。回線終端装置では、加入者線L1-L2 に直流電流が流れなくなったことを検出すると、加入者線L1-L2 への給電極性を反転極性から正極性に切り替える。
【００２２】
網終端装置では、加入者線L1-L2 の給電極性が正極性に転じると、発信回路100 の発信スイッチSW1 がONの状態にあるので、正極性検出回路102 に直流電流が流れる。正極性検出回路102 では、フォトカプラPC1 により直流電流を検出し、極性変動判定部30に正極性検出信号を出力する。極性変動判定部30では、正極性検出信号が所定の時間内にOFF からONになったことを検出すると、切替部104 に切替SW制御信号を出力する。切替部104 では、この切替SW制御信号に従って切替スイッチSW2 をONにする。ただし、この時点では、加入者線L1-L2 の給電極性が正極性であるので、切替部104 に直流電流は流れない。
【００２３】
回線終端装置では、加入者線L1-L2 に直流電流が流れるのを検出し、直流電流を所定の時間検出すると、再び、加入者線L1-L2 への給電極性を正極性から反転極性に切り替える。網終端装置では、このとき、切替部104 の切替スイッチSW2 がONになっているので加入者線L1-L2 は直流終端抵抗RD1 で終端され、直流電流が直流終端抵抗RD1 を通って加入者線を流れる。一方、正極性検出回路102 には直流電流が流れなくなり、正極性検出回路102 では、正極性検出信号の出力を停止する。極性変動判定部30では、正極性検出信号が所定の時間継続してOFF であることを検出すると、レイヤ１制御部40に発信受付信号を出力し、網終端装置は通信状態に入る。
【００２４】
このように、発信起動時には、加入者線L1-L2 が切替部104 の直流終端抵抗RD1 で終端され、直流電流が直流終端抵抗RD1を通って 加入者線L1-L2 に流れる。
【００２５】
なお、切断する時、レイヤ２制御部50はレイヤ１制御部40に発信切断信号を出力し、レイヤ１制御部40は、発信回路100 に対する発信信号の出力を停止する。これにより、発信回路100 の発信スイッチSW1 はOFF になる。また、回線終端装置では、所定の時間経過後に加入者線L1-L2 への給電極性を反転極性から正極性に切り替える。網終端装置では、これにより、反転極性検出回路106 に直流電流が流れなくなり、反転極性検出回路106 は、反転極性検出信号の出力を停止する。極性変動判定部30では、反転極性検出信号が断になると、切替部104 に出力する切替SW制御信号をOFF にする。これにより、切替部104 の切替スイッチSW2 はOFF になり、加入者線線L1-L2 に直流電流が流れなくなる。
【００２６】
ところで、本発明による網終端装置は、ループバック２試験の正常な実行を可能とした点に特徴がある。そこで、ループバック２試験時における本実施例の動作を説明すると、回線終端装置では、上位装置からのループバック２試験指令を検出すると、加入者線L1-L2 への給電極性を正極性（L1>L2 ）から反転極性（L1<L2 ）に設定し、ビットh1、h2、h3をすべて“１”に設定したループ２試験指令を伝送フレームにより加入者線L1-L2 に送出する。図２の例では、時間t1に加入者線L1-L2 への給電極性が正極性から反転極性に設定され、ループバック２試験指令が加入者線L1-L2 に出力されている。なお、試験時に加入者線L1-L2 への給電極性を反転極性に設定し、加入者線L1-L2 の直流電流の有無を試験する項目を含む試験であれば、ループバック２試験に限定されない。
【００２７】
網終端装置では、加入者線L1-L2 への給電極性が反転極性となるので、正極性検出回路102 には直流電流が流れず、正極性検出回路102 は正極性検出信号を出力しない。したがって、極性変動判定部30では、正極性検出信号がOFF のままであるので発信起動ではないと判断し、切替部104 に出力する切替SW制御信号をOFF のままとする。よって、切替部104 の切替SW2 は、OFF の状態に維持される。このように、加入者線L1-L2 への給電極性が反転極性に設定されたとき、直流電流は、図２に示すように時間t1にI1から０に変化する。
【００２８】
一方、電力分離フィルタ60では、加入者線L1-L2 上の交流信号（加入者線伝送フレーム）を取り出し、これを交流信号入出力回路70に出力する。交流信号入出力回路60では、電力分離フィルタ60から入力される伝送フレームを調べ、ビットh1、h2、h3がすべて“１”であるときループバック２試験指令であると判断し、LP2A検出信号をONにして極性変動判定部30にループバック２試験指令を通知する。
【００２９】
極性変動判定部30では、交流信号入出力回路70からのLP2A検出信号がONになると、切替部104 に出力する切替SW制御信号をONにする。切替部104 では、切替SW制御信号に従って切替SW2 をONにする。これにより、加入者線L1-L2 が切替部104 の直流終端抵抗RD1 で終端され、直流終端抵抗RD1 を通して加入者線L1-L2 に直流電流が流れる。図２の例では、極性変動判定部30から切替部104 に出力される切替SW制御信号が時間t2にONになり、加入者線L1-L2 の直流電流は時間t2に０からI2に変化している。
【００３０】
回線終端装置では、ループバック２試験が終了したとき、ビットh1、h2、h3をすべて“０”に設定したループバック２試験終了通知を伝送フレームにより加入者線L1-L2 に送出し、次いで加入者線L1-L2 への給電極性を反転極性から正極性に切り替える。図２の例では、時間t3に加入者線L1-L2 への給電極性が正極性に切り替えられている。網終端装置では、加入者線L1-L2 への給電極性が正極性になると、切替部104 の直流終端抵抗RD1 に直流電流が流れなくなるので、加入者線L1-L2 に直流電流が流れなくなる。図２の例では、時間t3に加入者線L1-L2 への給電極性が正極性に切り替えられたとき、加入者線L1-L2 の直流電流はI2からI1に変化している。
【００３１】
一方、交流信号入出力回路70では、ループバック２試験指令ビットh1、h2、h3がすべて“０”になったことを検出し、LP2A検出信号をOFF にして極性変動判定部30にループバック２試験の終了を通知する。極性変動判定部30では、交流信号入出力回路70からのLP2A検出信号がOFF になると、切替部104 に出力する切替SW制御信号をONからOFF にする。これにより、切替部104 の切替スイッチSW2 はOFF となり、切替部104 の直流終端抵抗RD1 は加入者線L1-L2 から切り離される。図２の例では、時間t4に切替SW制御信号がONからOFF に切り替えられている。
【００３２】
従来の網終端装置では、通信状態以外の場合には、切替部の切替スイッチをOFF にすることにより加入者線に直流電流を流さないように構成されいた。このため、たとえば図３に示すように、ループバック２試験時においても加入者線に直流電流が流れなかった。したがって、ループバック２試験時に加入者線に直流電流が流れていないと判断されて試験結果がNGとなり、データ折り返しの試験結果を得ることができなかった。しかし、本実施例によれば、上述したように、ループバック２試験時に加入者線L1-L2 に直流電流を流しているので、データ折り返しの正常性を試験することが可能となる。
【００３３】
【発明の効果】
このように本発明によれば、通信状態以外の場合には加入者線に直流電流を流さない網終端装置において、ループバック２試験時に加入者線に直流電流を流す手段を設けたので、回線終端装置が接続される上位装置において、データ折り返しの正常性と直流電流の有無を確認するループバック２試験時に、試験結果のOK/NG により、ループバック２試験の本来の目的であるデータ折り返しの正常性を確認することができる。
【図面の簡単な説明】
【図１】本発明による実施例の網終端装置を示すブロック図である。
【図２】図１に示す網終端装置のループバック２試験時における動作を示すタイムチャートである。
【図３】従来の網終端装置のループバック２試験時における動作を示すタイムチャートである。
【符号の説明】
10  直流終端回路
20  反転極性検出部
30  極性変動判定部
40  レイヤ１制御部
50  レイヤ２制御部
60  電力分離フィルタ
70  交流信号入出力回路
100  発信回路
102  正極性検出回路
104  切替部
106  反転極性検出回路
【図１】
0003655546.tif 000002
【図２】
0003655546.tif 000003
【図３】
0003655546.tif 000004